(57)【要約】【課題】介護者に大きな体力的負担を掛けることなく、被介護者を安全にベッドから車椅子等に移乗させることができるとともに、トイレ内等狭い場所でも使用できる移乗補助装置を提供する。【解決手段】水平面内で回転自在なるように移動台１上に支持された回転台７と、該回転台上に立設した背凭れ付きの椅子１６と、前記移動台を移動不能にする停止装置１７と、回転台７を回転不能にする回転ロック装置１９とを備え、回転台７の一部であって椅子１６の座部の前縁部の下方に相当する部位に足乗せ部５０ａ，５０ｂを形成し、介護者Ａが椅子１６の前部にて股開状となり両足を床面に着いて被介護者Ｂと対面状態となり、被介護者の両足を前記足乗せ部に着かせ介護者が被介護者を抱きかかえて椅子１６に座ることにより被介護者を回転台上に乗せ、回転台を回転させることで被介護者の身体の向きが変えられる。【選択図】図１
2015213747.tif 000002
【特許請求の範囲】
【請求項１】
前後方向に移動可能に設けられた移動台と、水平面内で回転自在なるように前記移動台の上部に配設された回転台と、該回転台上に立設された背凭れ付きの椅子と、前記移動台を移動不能にする停止装置と、前記回転台を回転不能にする回転ロック装置とを備え、前記回転台の一部であって前記椅子の座部の前縁部の下方に相当する部位に足乗せ部を形成し、介護者が前記椅子の前部にて股開状となり両足を床面に着いて被介護者と対面状態となり前記停止装置および前記回転ロック装置を作動状態としたうえで該被介護者の両足を前記足乗せ部に着かせ該介護者が該被介護者を抱きかかえて前記椅子に座ることにより該被介護者を前記回転台上に乗せて、その体勢で前記回転ロック装置を作動解除し前記回転台を回転させることで該被介護者の身体の向きが変えられるようにしたことを特徴とする介護用移乗補助装置。
【請求項２】
前記椅子の背凭れの上端部に把持部を形成し、前記回転台上に乗った前記被介護者の手が該把持部に届くようにしたことを特徴とする請求項１に記載した介護用移乗補助装置。
【発明の詳細な説明】
【技術分野】
【０００１】
本発明は、足腰が弱い被介護者をベッド上から車椅子に移乗したり、車椅子からトイレの洋式便器の上へ移乗したりする際に使用することで介護者の労力を軽減させる介護用の移乗補助装置に関するものである。
【背景技術】
【０００２】
下記特許文献１は、直立回転軸の上部に手動ハンドルを取り付け、下部に水平可動板を取り付け、水平可動板上に椅子部を直立させてなり、手動ハンドルを操作することによって、直立回転軸のまわりに水平可動板を回転移動し、任意の位置で停止する介護用の回転式移乗用椅子を示している。
また、下記特許文献２には、トイレや浴室の壁面に沿って設置され、座位で入口開口を通って室の外から内へと移動できる介護用の旋回移動台が示されている。
【先行技術文献】
【特許文献】
【０００３】
【特許文献１】特開平１１−１７８８５８号公報
【特許文献２】特開２０１０−１１９４５８号公報
【発明の概要】
【発明が解決しようとする課題】
【０００４】
しかしながら、これらの特許文献に示された椅子型の移乗補助装置は、被介護者が自力で移乗し得る能力を持っていなければ使用できないものであった。
一方、自力で移乗し得る能力を持っていない被介護者、或いは、自力で移乗する自信がない被介護者を例えばベッドから車椅子に移乗したり、車椅子からさらに洋式便器の上に移乗させたりする際、或いはこのような足腰が弱い被介護者を入浴させる際などに、介護者に大きな肉体的負担が掛かり、介護者が腰を痛めたり筋肉痛を起こす要因となる。このため介護者に過大な労力を強いる状況であった。
なお、このような介護者の負担を軽減するため、被介護者をベルトのようなもので吊り上げるリフト装置が従来から知られている。しかしリフト装置は、設置のための工事が必要になるとともに、広い設置スペースが必要であるので、家庭内の狭いトイレや浴室等に設置することは困難であることが多く、例えば在宅介護をするといった環境には不向きであった。
本発明は、上記課題を解決しようとするものである。
【課題を解決するための手段】
【０００５】
そのために本発明に係る介護用移乗補助装置は、前後方向に移動可能に設けられた移動台と、水平面内で回転自在なるように前記移動台上に配設された回転台と、該回転台上に立設された背凭れ付きの椅子と、前記移動台を移動不能にする停止装置と、前記回転台を回転不能にする回転ロック装置とを備え、前記回転台の一部であって前記椅子の座部の前縁部の下方に相当する部位に足乗せ部を形成し、介護者が前記椅子の前部にて股開状となり両足を床面に着いて被介護者と対面状態となり前記停止装置および前記回転ロック装置を作動状態としたうえで該被介護者の両足を前記足乗せ部に着かせ該介護者が該被介護者を抱きかかえて前記椅子に座ることにより該被介護者を前記回転台上に乗せて、その体勢で前記回転ロック装置を作動解除し前記回転台を回転させることで該被介護者の身体の向きが変えられるようにしたことを特徴とする。
また、本発明は上記介護用移乗補助装置において、前記椅子の背凭れの上端部に把持部を形成し、前記回転台上に乗った前記被介護者の手が該把持部に届くようにしたことを特徴とする。
【発明の効果】
【０００６】
本発明に係る移乗補助装置によれば、足腰の弱い被介護者を楽に安全に車椅子等に移乗させることができ、介護者が必要とする労力が大きく軽減される。また、本発明に係る移乗補助装置は、スペースを要さず狭い場所での使用も可能で、設置工事等の必要がないので、在宅介護に使用するに適切である。
【図面の簡単な説明】
【０００７】
【図１】本発明に係る介護用移乗補助装置の斜視図。
【図２】本発明に係る介護用移乗補助装置の側面図。
【図３】本発明に係る介護用移乗補助装置の底面図。
【図４】本発明に係る介護用移乗補助装置の要部の縦断面図。
【図５】図４のＡ−Ａ線断面図。
【図６】本発明に係る介護用移乗補助装置の使用状態を示した側面図。
【図７】本発明に係る介護用移乗補助装置の使用状態を示した側面図。
【図８】本発明に係る介護用移乗補助装置の他の実施例を示す要部の縦断面図。
【図９】図８のＢ−Ｂ線断面図。
【図１０】本発明に係る介護用移乗補助装置の他の実施例を示す斜視図。
【図１１】図１０に示した介護用移乗補助装置の底面図。
【図１２】図１０に示した介護用移乗補助装置の要部の縦断面図。
【図１３】図１２のＣ−Ｃ線断面図。
【図１４】図１２のＤ−Ｄ線断面図。
【図１５】図１２のＥ−Ｅ線断面図。
【実施例１】
【０００８】
次に本発明に係る介護用移乗補助装置の構成を図面に従い説明する。この装置の底部に位置する円板形の移動台１は、ゴム製の複数のローラ２ａ〜２ｄを備えることで、床面上に前後方向に移動自在なるように配置されるもので、該各ローラ２ａ〜２ｄは、外周面が該移動台１に開設された長方形の取付孔３から下方に突出するように、該各ローラ２ａ〜２ｄを回転自在に支持する枠状軸受体４をビス５によって該移動台１に固着することにより取り付けられている。また、該移動台１の上面と回転台７の下面との間に環状のスライドレール機構６が設けられ、該スライドレール機構６を介在させることで該移動台１上に回転台７を水平面内で回転自在なるように支持している。該スライドレール機構６は、移動台１の上面に固着した環状のレール８と回転台７の下面に固着した環状のレール９とを互いにスライド可能に構成したもので、例えば、株式会社大阪タイユーから「マワールミニ」といった商品名にて市販されているベアリングタイプのターンテーブルが使用される。
【０００９】
回転台７上には、中空筒状の支脚１０と後部支脚１１と座部１２と両肘掛１３，１４と背凭れ１５とからなる背凭れ付き椅子１６が立設される。なお、支脚１０は回転台７上にビス１０ａによって固着した基板１０ｂ上に下端部を溶接によって固着している。１７は前記ローラ２ａに設けることにより前記移動台１を移動不能にする停止装置、１８は一方の肘掛１３に設けられた停止操作部である。また、１９は前記回転台７を回転不能にする回転ロック装置、２０は他方の肘掛１４に設けられた回転ロック操作部である。
【００１０】
停止装置１７は、図４、図５に示したように、ブレーキ帯２１の一端部を止具２２により移動台１の上面に止着し、前記ローラ２ａの外周面の一部を小径にすることにより形成された小径部２３に該ブレーキ帯２１を巻掛し、該ブレーキ帯２１の他端部をフレキシブルなプッシュプルワイヤ２４に連結部材２５を介して連結してなる。２６は該プッシュプルワイヤ２４が進退動自在に貫挿されているフレキシブルなコイル状チューブで、該チューブ２６は前記支脚１０中を経て前記停止操作部１８に配設され、前記プッシュプルワイヤ２４の他端を該停止操作部１８の操作レバー２７に連結している。なお、該停止操作部１８には、該操作レバー２７を操作状態、即ち、プッシュプルワイヤ２４を牽引した状態に保持し得る係合機構が設けられ、該係合機構はプッシュボタン２８を押圧操作することにより解除できるように構成されている。
【００１１】
また、回転ロック装置１９は、移動台１の上面に係合板３０を固着し、該係合板３０には前記回転台７が回転する同心円上に位置するように複数の係合孔３１が開設されるとともに、該回転台７上の支脚１０の基部に小支柱３２を突設し、該小支柱３２の上端部に設けた支軸３３によりリンク３４を傾動自在に支持し、該リンク３４の一端に支軸３５を介してロックピン３６を連結し、該ロックピン３６の下部を回転台７に開設された透孔３７から垂下して前記係合孔３１と相対するように配置している。３８は該ロックピン３６を上向きに付勢するため該ロックピン３６の外周に装着したコイルバネである。そして該リンク３４の他端にフレキシブルなプッシュプルワイヤ３９を連結し、前記支脚１０の側面に突設された支持片４０にフレキシブルなコイル状チューブ４１の一端を止着し、該チューブ４１中に該プッシュプルワイヤ３９を進退動自在に貫挿し、該チューブ４１の他端を前記回転ロック操作部２０に配設し、該プッシュプルワイヤ３９の他端を該回転ロック操作部２０の操作レバー４２に連結している。なお、該回転ロック操作部２０には、該操作レバー４２を操作状態、即ち、プッシュプルワイヤ３９を牽引した状態に保持し得る係合機構が設けられ、該係合機構はプッシュボタン４３を押圧操作することにより解除できるように構成されている。
【００１２】
また、椅子１６の座部１２の前縁部の下方に相当する部位であって回転台７の上面に被介護者の両足を位置させられる足乗せ部５０ａ，５０ｂが形成される。なお、該足乗せ部５０ａ，５０ｂの周囲には、被介護者Ｂの両足が回転台７上からはみ出ないように突堤５１が形成されている。なお、５４は回転台７の前部中央に形成された半円状の凹欠部で、該凹欠部は椅子１６に座った介護者Ａが該凹欠部にかかとを位置させることで該回転台７の回転が制止されるようにするために形成されている。また、該足乗せ部５０ａ，５０ｂの表面には足が滑らないように筋状の凹凸５５が形成されている。
また、椅子１６の背凭れ１５は、座部１２に対して垂直よりも若干後傾状に形成され、該背凭れ１５の上端部には横長孔状の把持部５２が形成されている。
また、５３は前記回転台７の後縁部下面に並設した一対のキャスターで、該キャスターは常態では床面から離間するように該回転台７の後縁部下面に並設されている。該キャスターはこの移乗補助装置を運ぶ際に床面に着くようにこの移乗補助装置を後傾させるとともに、前記把持部５２に手を掛けて曳くことにより、この移乗補助装置を軽便に運び得るようにする。
【００１３】
このように構成した移乗補助装置は、例えばベッドの端や通常の椅子に腰掛けた被介護者を車椅子に移乗させたり、或いは、車椅子に座った被介護者をトイレの洋式便器の上に移乗させたりする際に使用される。即ち、前記ローラ２ａ〜２ｄを自在回転させ、この移乗補助装置をベッド等に腰掛けている被介護者Ｂの直前に移動させ、前記椅子１６に座った介護者Ａが前記操作レバー２７を操作して前記係合機構を作動させプッシュプルワイヤ２４を牽引した状態に保持、即ち、停止装置１７を作動状態に保持することで該ローラ２ａを回転不能にし、移動台１が外力に対して動かないようにするとともに、前記回転ロック操作部２０のプッシュボタン４３を押圧操作することによりプッシュプルワイヤ３９を弛緩させ、コイルバネ３８の弾性によりロックピン３６の下部を係合板３０の係合孔３１に遊嵌させ、回転台７を回転不能にする。そして、図６に示したように、介護者Ａは該椅子１６の前部にて両足を床面に着いて股開状の姿勢にて被介護者Ｂと向かい合わせになり、該被介護者Ｂの足を介護者Ａの両足の間に通し該被介護者Ｂの両足を前記足乗せ部５０ａ，５０ｂに位置させ、さらに介護者Ａが両手を被介護者Ｂの脇の下から背中に回して被介護者Ｂを抱きかかえ、こうした体勢で介護者Ａが後ろに倒れ込むことで座部１２に座る。
【００１４】
このとき被介護者Ｂの両足は足乗せ部５０ａ，５０ｂに位置しているので、図７に示したように被介護者Ｂは回転台７上に起立することとなる。こうして被介護者Ｂは前かがみの姿勢であるものの自らの体重を両足で支えて回転台７上に乗ることとなる。このため、介護者Ａの体力的負担を軽くして、被介護者Ｂを回転台７上に乗せることができる。なお、背もたれ１５は介護者Ａが後ろに倒れ込むときの支えとなるために欠かせないものである。また、被介護者Ｂが回転台７上に乗ったとき、図７に示したように、該被介護者Ｂは両手で把持部５２をつかむことができるので、安心して起立状態が維持できる。そして、このように被介護者Ｂを抱きかかえた体勢で前記回転ロック操作部２０の操作レバー４２を握持操作することでロックピン３６を係合板３０の係合孔３１より離脱させ回転台７を回転自在にし、その体勢で介護者Ａが足で床面を蹴ることにより、該回転台７を車椅子等のある方向に回転させ、該被介護者Ｂの背後に車椅子や洋式便器等を位置するようにする。そして、介護者Ａは前記プッシュボタン４３を押圧操作してロックピン３６をまた係合孔３１に遊嵌させ回転台７を再び回転不能にした後、被介護者Ｂを抱きかかえたままで該被介護者Ｂを車椅子や洋式便器上に倒れ込ませる。このときも被介護者Ｂが後ろに倒れる体重の反動で介護者Ａが起立できることから、被介護者Ｂの体重が介護者Ａに直接掛かることなく介護者Ａの体力的負担は軽い。
【００１５】
このように、被介護者Ｂは介護者Ａに抱きかかえられるとともに、回転台７上に両足がついた状態で移乗するので、体力のない被介護者でも不安感や恐怖心を持つことなく安心して車椅子や洋式便器の上に移乗させることができる。また、この移乗補助装置によれば、被介護者を抱きかかえて回転することにより被介護者の向きをその場で所要の角度、例えば１８０度、回転させることができるので、一般家庭の狭いトイレにおいても被介護者を車椅子から洋式便器、或いは洋式便器から車椅子へ移乗させることが容易になる。また、介護者に大きな体力的負担を掛けることなく被介護者を安全に移乗させることが可能となる。しかも従来のリフト装置のような設置工事を要さずに使用できるので、在宅介護に好適であるなど有益な効果がある。
【実施例２】
【００１６】
次に、図８，図９に従い本発明に係る介護用移乗補助装置の実施例２を説明する。なお、同図中、図１〜図７と同一符号は同一部分または相当部分を示す。この実施例２では、床面に定置される底板６０を設け、該底板６０の上面に一対のリニヤガイド（直線軸受）６１を平行に設け、該リニヤガイド６１により移動台１を前後方向に移動自在なるように配設し、該移動台１の中心部に支柱６２を樹立し、該支柱６２に上端部に設けた軸受６３により椅子１６を回転自在に支持するとともに、該椅子１６の座部１２の下面に固着したフランジ部６４から筒状体６５を垂下し、該筒状体６５の下端部に回転台７を水平に固設することで、該回転台７を移動台１の上部に回転自在なるように支持し、該回転台７に足乗せ部５０ａ，５０ｂを形成している。なお、６６は回転台７を回転自在に支持するため移動台１と回転台７との間に設けた環状の軸受である。
【００１７】
そして、底板６０上のリニヤガイド６１の間に前後方向に適宜間隔を離して複数の係合孔６７が開設された係合板６８を固設するとともに、支柱６２の中心部に形成された透孔６９中に前記停止操作部１８と連なるプッシュプルワイヤ２４のチューブ２６を貫挿し、該プッシュプルワイヤ２４の先端に固着したロックピン７０を前記係合板６８と対向させてなる。このように停止装置１７を構成することによっては、実施例１に示した停止操作部１８を操作してプッシュプルワイヤ２４を弛緩させ、ロックピン７０をいずれかの係合孔６７に遊嵌させることにより移動台１を前後方向に移動不能に固定できる。なお、回転ロック装置１９については前記実施例１と同様の構成であり、図８中、ロックピン３６と対向する係合板３０を移動台１の上面に固設してなり、前記回転ロック操作部２０のプッシュボタン４３を押圧操作することによりプッシュプルワイヤ３９を弛緩させ、コイルバネ３８の弾性によりロックピン３６の下部を係合板３０の係合孔３１に遊嵌させることで、回転台７を回転不能にし得る。
【００１８】
このように構成した移乗補助装置であっても実施例１と同様の使用をすることにより、介護者に大きな体力的負担を掛けることなく被介護者を安全に移乗させることが可能となる。
【実施例３】
【００１９】
一方、図１０〜図１５は、上記実施例１、２の停止装置１７、停止操作部１８、および回転ロック操作部２０等の構造を少し異ならしめた本発明に係る実施例３の介護用移乗補助装置を示す。同図中、図１〜図７と同一符号は同一部分または相当部分を示す。実施例３の介護用移乗補助装置では、椅子１６の支脚１０が回転台７の回転中心よりも少し前側に位置するように、該回転台７の上面にビス１０ａによって固着した基板１０ｂ上に該支脚１０が樹立される。また、停止装置１８としては、移動台１の中央部に方形状の開口７５を形成し、上面中央に軸状部７６が一体に形成されたブレーキ片７７を該開口７５内に収容し、該軸状部７６を該回転台７の回転中心に形成された透孔７８および前記基板１０ｂを貫通させて上方に突出し、該軸状部７６の上端部に固着した帽状体４９と該基板１０ｂとの間にバネ８０を圧縮状にして介在し、該バネ８０の弾性により常には該ブレーキ片７７が床面から離間した状態に保たれるようにするとともに、該ブレーキ片７７を上下に進退動可能に支持する。なお、該ブレーキ片７７の下面は、摩擦抵抗を増し滑り止めをするために凹凸状に形成されている。
【００２０】
一方、停止操作部１８は、座部１２の下面に固着した軸受片８１ａ，８１ｂにより操作軸８２を回転自在に支持し、該操作軸８２の一端を直交状に折り曲げてレバー８３を形成し、該レバー８３を該座部１２の一側縁に配設するとともに、前記支脚１０の後側面に支片８４を突設し、該支片の側面に突設された支軸８５をリンク８６に形成された長孔８７中に遊嵌することにより該リンク８６を上下動可能に支持し、該リンク８６下端の太径部８８を前記帽状体７９の上に対向させ、該リンク８６の上端部と前記操作軸８２に半径方向に突出するように形成された偏心輪８９とをピン９０を貫挿することにより連結している。なお、操作軸８２には前記軸受８１ｂに当接することで該操作軸８２の回転範囲を制限するストッパー９１が設けられている。
【００２１】
このため、レバー８３を図１０に示した矢印の方向に回転操作し、操作軸８２を回転させると、偏心輪８９がリンク８６を押し下げ、該リンク８６が軸状部７６をバネ８０の弾性に抗して押し下げることでブレーキ片７７が下降し該ブレーキ片７７が床面に圧接する。このため、床面との摩擦抵抗により移動台１は移動不能になる。なお、その際、前記偏心輪８９は回転によりリンク８６を最大限押し下げてさらに僅かに余計に回転したところで前記ストッパー９８が軸受８１ｂに当接するようにしていることから、ブレーキ片７７はバネ８０の弾性に抗して下降状態に保持される。このため移動台１を移動不能に保持できる。また、この状態でレバー８３を反対向きに操作することで、リンク８６による押し下げ状態が解除され、ブレーキ片７７がバネ８０の弾性により上昇し床面から離間することにより、移動台１は移動可能となる。なお、ブレーキ片７７の形状はこの実施例に示したように下面から見て長方形のものに限らず適宜変更できる。また、このようなブレーキ片を複数個所に設けてもよい。
【００２２】
また、この実施例３に示す回転ロック操作部２０は、回転台７の前側上部に設けられたペダル９２を足で踏むことにより、前記ロックピン３６を昇降させられる構成である。即ち、前記支脚１０の両側面に支軸９３を突設するとともに、ペダル９２が形成された二股状の操作杆９４を該支軸９３により傾倒自在に枢着し、支脚１０の前側部に一端を係着したバネ９５により該操作杆９４を牽引することで常には該ペダル９２が上向きとなるように該操作杆９４を付勢し、該操作杆９４の先端部間に架した丸軸９６にリンク９７を枢着し、該リンク９７先端をピン９８を介してロックピン３６の上端部に枢着している。このため、ペダル９２を踏むとロックピン３６が上昇し係合板３０の係合孔３１から離脱することで回転台７が回転自在となる。このため回転台７が回転し、また、ペダル９２から足を離せば前記バネ９５の弾性により操作杆９４は該ロックピン３６を下向きに付勢していることから該ロックピン３６は下降し、該ロックピン３６がまたいずれかの係合孔３１に遊嵌することで回転台７がその状態で回転不能にロックされるようになる。
【００２３】
このように本発明に係る介護用移乗補助装置では、移動台１を前後に移動させる機構、回転台７を回転可能に支持する機構、停止装置１７、停止操作部１８、回転ロック装置１９、回転ロック操作部２０等の構造について、以上の実施例に示したものに限らず、適宜に設計変更できる。
【符号の説明】
【００２４】
１                  移動台
２ａ〜２ｄ          ローラ
６                  スライドレール機構
７                  回転台
１０                支脚
１１                後部支脚
１５                背凭れ
１６                椅子
１７                停止装置
１８                停止操作部
１９                回転ロック装置
２０                回転ロック操作部
５０ａ，５０ｂ      足乗せ部
５２                把持部
６０                底板
６１                リニヤガイド
６２                支柱
６３                軸受
６５                筒状体
６６                軸受
Ａ                  介護者
Ｂ                  被介護者
【図１】
2015213747.tif 000003
【図２】
2015213747.tif 000004
【図３】
2015213747.tif 000005
【図４】
2015213747.tif 000006
【図５】
2015213747.tif 000007
【図６】
2015213747.tif 000008
【図７】
2015213747.tif 000009
【図８】
2015213747.tif 000010
【図９】
2015213747.tif 000011
【図１０】
2015213747.tif 000012
【図１１】
2015213747.tif 000013
【図１２】
2015213747.tif 000014
【図１３】
2015213747.tif 000015
【図１４】
2015213747.tif 000016
【図１５】
2015213747.tif 000017